(57)【特許請求の範囲】
【請求項１】
移動体に載置され、前記移動体外部の地上無線機から受信した要求情報を携帯端末に送信し、前記携帯端末から受信した応答情報を前記地上無線機に送信する無線装置において、
前記要求情報には時間情報が含まれており、無線装置本体は、前記地上無線機から受信した前記要求情報を保持し、前記携帯端末との接続が確立されていない間は、前記要求情報を受け取ってから前記携帯端末との接続が確立されるまでの時間を計測して計測した時間情報を得、前記携帯端末との接続が確立された時は、前記計測した時間情報に基づいて前記地上無線機から受け取り保持した要求情報に含まれる時間情報を修正し、修正した要求情報を前記携帯端末へ送信することを特徴とする無線装置。
【請求項２】
前記無線装置本体は、前記地上無線機から受け取った前記要求情報に含まれる時間情報から前記計測した時間情報を減算するように修正することを特徴とする請求項１に記載の無線装置。
【請求項３】
前記無線装置本体と前記携帯端末との接続状態は、接続中，接続確認中及び切断中のいずれかであり、
前記無線装置本体は、前記接続状態を切断中と判定した場合は、前記携帯端末への送信を中止し、前記移動体外部の地上無線機へ前記携帯端末の代わりに前記応答情報を送信することを特徴とする請求項１または請求項２に記載の無線装置。
【請求項４】
移動体に載置され、前記移動体外部の地上無線機から受信した要求情報を携帯端末に送信し、前記携帯端末から受信した応答情報を前記地上無線機に送信する無線装置において、
前記要求情報には時間情報が含まれており、
無線装置本体はデータ制御部、データ記憶部、接続状態監視部、時間管理部及びデータ再構成部を有し、
前記データ制御部は、前記地上無線機から受信した前記要求情報を前記データ記憶部に保持し、
前記接続状態監視部は、前記無線装置本体と前記携帯端末との接続状態を監視し前記データ制御部に通知し、
前記データ制御部は前記無線装置本体と前記携帯端末との接続が確立されていない間は、前記時間管理部に指示して、前記要求情報を受け取ってから前記携帯端末との接続が確立されるまでの時間を計測させて計測した時間情報を得、
前記携帯端末との接続が確立された時は、前記データ制御部は前記データ再構成部に指示して、前記計測した時間情報に基づいて前記地上無線機から受け取り前記データ記憶部が保持した要求情報に含まれる時間情報を修正させ、
前記データ制御部は前記修正した要求情報を前記携帯端末へ送信することを特徴とする無線装置。
【請求項５】
前記地上無線機は路側機であることを特徴とする請求項１から請求項４のいずれか１項に記載の無線装置。
【請求項６】
移動体に載置され、前記移動体外部の地上無線機から受信した要求情報を携帯端末に送信し、前記携帯端末から受信した応答情報を前記地上無線機に送信する無線装置の操作方法において、
前記要求情報には時間情報が含まれるものであって、
前記地上無線機から受信した前記要求情報を保持するステップと、
無線装置本体と前記携帯端末との接続状態を監視するステップと、
前記無線装置本体と前記携帯端末との接続が確立されていない間は、前記要求情報を受け取ってから前記携帯端末との接続が確立されるまでの時間を計測して計測した時間情報を得るステップと、
前記携帯端末との接続が確立された時には、前記計測した時間情報に基づいて前記地上無線機から受け取り保持した要求情報に含まれる時間情報を修正するステップと、
前記修正した要求情報を前記携帯端末へ送信するステップを有する無線装置の操作方法。
【請求項７】
前記時間情報を修正するステップは、前記地上無線機から受け取った前記要求情報に含まれる時間情報から前記計測した時間情報を減算するステップであることを特徴とする請求項６に記載の無線装置の操作方法。
【請求項８】
移動体に載置され、前記移動体外部の地上無線機から受信した要求情報を携帯端末に送信し、前記携帯端末から受信した応答情報を前記地上無線機に送信する無線装置の操作方法において、
前記要求情報には時間情報が含まれており、
無線装置本体はデータ制御部、データ記憶部、接続状態監視部、時間管理部及びデータ再構成部を有するものであって、
前記データ制御部が、前記地上無線機から受信した前記要求情報を前記データ記憶部に保持するステップと、
前記接続状態監視部が、前記無線装置本体と前記携帯端末との接続状態を監視し前記データ制御部に通知するステップと、
前記無線装置本体と前記携帯端末との接続が確立されていない間は、前記データ制御部が、前記時間管理部に指示して、前記要求情報を受け取ってから前記携帯端末との接続が確立されるまでの時間を計測させて計測した時間情報を得るステップと、
前記携帯端末との接続が確立された時は、前記データ制御部が前記データ再構成部に指示して、前記計測した時間情報に基づいて前記地上無線機から受け取り前記データ記憶部が保持した要求情報に含まれる時間情報を修正させるステップと、
前記データ制御部が前記修正した要求情報を前記携帯端末へ送信するステップを有することを特徴とする無線装置の操作方法。
【請求項９】
移動体に載置され、前記移動体外部の地上無線機から受信した要求情報を携帯端末に送信し、前記携帯端末から受信した応答情報を前記地上無線機に送信する無線装置の操作をコンピュータに実行させる無線装置操作プログラムにおいて、
前記要求情報には時間情報が含まれるものであって、
前記地上無線機から受信した前記要求情報を保持する手順と、
無線装置本体と前記携帯端末との接続状態を監視する手順と、
前記無線装置本体と前記携帯端末との接続が確立されていない間は、前記要求情報を受け取ってから前記携帯端末との接続が確立されるまでの時間を計測して計測した時間情報を得る手順と、
前記携帯端末との接続が確立された時には、前記計測した時間情報に基づいて前記地上無線機から受け取り保持した要求情報に含まれる時間情報を修正する手順と、
前記修正した要求情報を前記携帯端末へ送信する手順を実行させる無線装置操作プログラム。
【請求項１０】
前記時間情報を修正する手順は、前記地上無線機から受け取った前記要求情報に含まれる時間情報から前記計測した時間情報を減算する手順であることを特徴とする請求項９に記載の無線装置操作プログラム。
【請求項１１】
移動体に載置され、前記移動体外部の地上無線機から受信した要求情報を携帯端末に送信し、前記携帯端末から受信した応答情報を前記地上無線機に送信する無線装置の操作をコンピュータに実行させる無線装置操作プログラムにおいて、
前記要求情報には時間情報が含まれており、
無線装置本体はデータ制御部、データ記憶部、接続状態監視部、時間管理部及びデータ再構成部を有するものであって、
前記データ制御部が、前記地上無線機から受信した前記要求情報を前記データ記憶部に保持する手順と、
前記接続状態監視部が、前記無線装置本体と前記携帯端末との接続状態を監視し前記データ制御部に通知する手順と、
前記無線装置本体と前記携帯端末との接続が確立されていない間は、前記データ制御部が、前記時間管理部に指示して、前記要求情報を受け取ってから前記携帯端末との接続が確立されるまでの時間を計測させて計測した時間情報を得る手順と、
前記携帯端末との接続が確立された時は、前記データ制御部が前記データ再構成部に指示して、前記計測した時間情報に基づいて前記地上無線機から受け取り前記データ記憶部が保持した要求情報に含まれる時間情報を修正させる手順と、
前記データ制御部が前記修正した要求情報を前記携帯端末へ送信する手順を実行させる無線装置操作プログラム。
【発明の詳細な説明】
【技術分野】
【０００１】
この発明は、移動体に載置され、前記移動体外部の地上無線機から受信した要求情報を携帯端末に送信し、前記携帯端末から受信した応答情報を前記地上無線機に送信する無線装置、無線装置の操作方法及び無線装置操作プログラムに係るものである。
【背景技術】
【０００２】
インターネットは、企業においてだけでなく、個人向け用途においても一般的に使用されるようになっている。特に、最近では、携帯電話、パソコン、及びＰＤＡ（Personal Digital Assistant）の機能が組み合わされたスマートフォンや、無線ＬＡＮ機能を搭載した携帯ゲーム機の爆発的な普及により、無線通信によるインターネットの利用が身近になってきている。また、公衆無線ＬＡＮの整備も進んでおり、インターネットは、屋内においてだけでなく、屋外または車両内においても利用が進んでいる。
【０００３】
スマートフォンの特徴の一つとして、様々なアプリケーションをダウンロードして利用できることが挙げられる。これにより、ユーザは、標準的な機能である音声通話やメール以外にも、ユーザの好みに合わせた使い方ができるようになる。例えば、カーナビアプリケーションをダウンロードすることにより、スマートフォンをカーナビ受信機として利用することも可能である。このようなカーナビアプリケーションとしては、オフライン環境でスマートフォン単独で使用するだけでなく、車に搭載されたカーナビ受信機と無線通信することにより、スマートフォンに各種交通情報をリアルタイムに表示できるものも存在する。
【０００４】
しかしながら、このような、カーナビ受信機等の車載無線装置と、スマートフォン等の携帯端末との間の無線通信の課題として、電磁ノイズの影響を受けやすく、有線通信の場合と比較して、一時的な通信切断が発生する可能性が高いことが挙げられる。特に、移動体（車両等）内には電子部品が多く搭載されているため、種々の電磁ノイズ源からの影響を受けやすい。また、例えば、真夏または真冬には温度の影響も受けやすく、電子素子の受信特性の劣化などによる通信切断も考えられる。
【０００５】
電磁ノイズを完全に除去することは困難であるため、前記のような一時的な通信切断による影響を、ユーザに不快感を与えない程度にまで低減させるためには、車載無線装置側で対処する必要がある。具体的には、例えば、通信切断から通信再開までの間の通信データを退避するためのバッファを備え、通信再開後に退避データを送信できるようにすることが必要である。
【０００６】
一方、路車間通信においては、交通安全、渋滞緩和、ＣＯ２排出量削減などを目指したサービスを実現するため、道路（路側）と車両（車側）が一体となった高度道路交通システム（Intelligent Transport System）（以下、ＩＴＳという。）の開発が進んでいる。
このシステムを用いたサービスとしてＩＴＳスポットサービスがある。ＩＴＳスポットサービスでは、高速で大容量の双方向通信を可能とする５．８ＧＨｚ帯ＤＳＲＣ（Dedicated  Short  Range  Communication）が用いられる。
【０００７】
ユーザは、ＤＳＲＣ通信ができる機器（ＩＴＳスポット対応の車載無線装置とＩＴＳスポット対応カーナビ受信機あるいはＩＴＳスポット対応スマホアプリ）を車両に取り付けることで、道路交通情報や安全運転支援情報を画像及び音声で取得することができる。また、ＥＴＣ（Electronic Toll Collection）を利用できるだけでなく、駐車場やドライブスルー等でのキャッシュレス決済サービス（以下、ＥＭＶ決済という。）が利用でき、ゲート前で現金を支払う煩わしさがなくなり、スムーズに車両を通過させることができるようになる。
【０００８】
ＥＭＶ決済では、路側機からＩＴＳスポット対応車載無線装置へ決済方法としてキャッシュレス決済を行うか否かの意思確認を問うためのデータ（以下、無線装置確認要求コマンドという。）が送られてくる。ＩＴＳスポット対応車載無線装置は当該データをＩＴＳスポット対応カーナビ受信機あるいはＩＴＳスポット対応スマホアプリへ送り、ＩＴＳスポット対応カーナビ受信機あるいはＩＴＳスポット対応スマホアプリが意思確認のための画面（ボタン）を表示する。ＩＴＳスポット対応カーナビ受信機あるいはＩＴＳスポット対応スマホアプリはボタン押下結果を含むデータ（以下、無線装置確認応答コマンドという。）をＩＴＳスポット対応車載無線装置へ送り、ＩＴＳスポット対応車載無線装置は路側機へ当該データを送る。これにより、路側機はキャッシュレス決済処理を実行するか否かを決定することができる。また、無線装置確認要求コマンドには意思確認の受付時間が含まれている。このことより、ユーザには、”路側機が指定した受付時間内に”、“意思確認のための選択を行う”ことが求められる。
【０００９】
ユーザが“意思確認のための選択を行う”ことに対し、特許文献１では、ユーザに決済方法を再度選択する機会を与え、ユーザが決済方法の選択を操作ミス等で誤ってしまった場合でも、希望する決済方法を選択し直せることが挙げられている。
【先行技術文献】
【特許文献】
【００１０】
【特許文献１】特開２００９−９８７４７号公報（図１１、図１４、［００８７］〜［００９５］）
【発明の概要】
【発明が解決しようとする課題】
【００１１】
しかしながら、前記特許文献１では、ユーザが”路側機（地上無線機）が指定した受付時間内に”意思確認のための選択を行うことへの考慮が十分にされておらず、以下のような課題がある。
【００１２】
前記特許文献１では、決済方法の選択に関し選択期間を設けている。しかしながら、電磁ノイズ等の理由で、車内の通信が一時的に数秒間切断したことで、ＩＴＳスポット対応カーナビ受信機あるいはＩＴＳスポット対応スマホアプリでの無線装置確認要求コマンド受信が遅れた場合、ユーザの選択期間と路側機の受付時間は一致しなくなってしまうという課題がある。特に車載無線装置（無線装置）と携帯端末間の通信が無線通信を利用する時には、有線通信の時以上に一時的な切断の影響を考慮する必要がある。
【００１３】
また、前記ユーザの選択期間と路側機の受付時間が不一致の場合、ユーザの意思決定タイミングによっては、路側機の受付時間が終了している可能性があり、この場合、ユーザは希望する決済方法を選択できない可能性がある。またその結果、ユーザに不快感を与えたり、混乱を招いてしまうという課題もある。
【００１４】
この発明は、前記のような課題を解決するためになされたもので、ユーザが地上無線機が指定した受付時間内に意思確認のための選択を行うことができる無線装置、無線装置の操作方法及び無線装置操作プログラムを得ることを目的とする。
【課題を解決するための手段】
【００１５】
この発明に係わる無線装置は、移動体に載置され、前記移動体外部の地上無線機から受信した要求情報を携帯端末に送信し、前記携帯端末から受信した応答情報を前記地上無線機に送信する無線装置において、
前記要求情報には時間情報が含まれており、無線装置本体は、前記地上無線機から受信した前記要求情報を保持し、前記携帯端末との接続が確立されていない間は、前記要求情報を受け取ってから前記携帯端末との接続が確立されるまでの時間を計測して計測した時間情報を得、前記携帯端末との接続が確立された時は、前記計測した時間情報に基づいて前記地上無線機から受け取り保持した要求情報に含まれる時間情報を修正し、修正した要求情報を前記携帯端末へ送信するようにしたものである。
【００１６】
また、この発明に係る無線装置の操作方法は、移動体に載置され、前記移動体外部の地上無線機から受信した要求情報を携帯端末に送信し、前記携帯端末から受信した応答情報を前記地上無線機に送信する無線装置の操作方法において、前記要求情報には時間情報が含まれるものであって、前記地上無線機から受信した前記要求情報を保持するステップと、
無線装置本体と前記携帯端末との接続状態を監視するステップと、前記無線装置本体と前記携帯端末との接続が確立されていない間は、前記要求情報を受け取ってから前記携帯端末との接続が確立されるまでの時間を計測して計測した時間情報を得るステップと、前記携帯端末との接続が確立された時には、前記計測した時間情報に基づいて前記地上無線機から受け取り保持した要求情報に含まれる時間情報を修正するステップと、
前記修正した要求情報を前記携帯端末へ送信するステップを有するようにしたものである。
【００１７】
更に、この発明に係る無線装置操作プログラムは、移動体に載置され、前記移動体外部の地上無線機から受信した要求情報を携帯端末に送信し、前記携帯端末から受信した応答情報を前記地上無線機に送信する無線装置の操作をコンピュータに実行させる無線装置操作プログラムにおいて、前記要求情報には時間情報が含まれるものであって、前記地上無線機から受信した前記要求情報を保持する手順と、無線装置本体と前記携帯端末との接続状態を監視する手順と、前記無線装置本体と前記携帯端末との接続が確立されていない間は、前記要求情報を受け取ってから前記携帯端末との接続が確立されるまでの時間を計測して計測した時間情報を得る手順と、前記携帯端末との接続が確立された時には、前記計測した時間情報に基づいて前記地上無線機から受け取り保持した要求情報に含まれる時間情報を修正する手順と、前記修正した要求情報を前記携帯端末へ送信する手順を実行させるようにしたものである。
【発明の効果】
【００１８】
この発明の無線装置、無線装置の操作方法及び無線装置操作プログラムによれば、一時的な通信切断があった場合にも、ユーザの選択期間と地上無線機の受付時間を一致させるように無線装置が受信した要求情報に含まれる時間情報を修正するようにしたので、ユーザは接続状態によらず、地上無線機が指定した受付時間内に意思確認のための選択を行うことができるという効果がある。
【図面の簡単な説明】
【００１９】
【図１】この発明の実施の形態１による無線通信システムを示す構成図である。
【図２】実施の形態１による無線装置を示すブロック図である。
【図３】実施の形態１による図２に記載の携帯端末側無線Ｉ／Ｆと接続状態監視部が保持する接続情報を示す説明図である。
【図４】実施の形態１による確認秒数情報関連のコマンドを示す図である。
【図５】実施の形態１によるデータ再構成部でのデータ再構成を示す図である。
【図６】実施の形態１による無線装置の処理の流れを示すフローチャートである。
【図７】実施の形態１による何のエラーもない場合のシーケンスを示す図である。
【図８】実施の形態１による無線装置と携帯端末との通信が切断している場合のシーケンスを示す図である。
【図９】実施の形態１による携帯端末から確認秒数の時間を過ぎても応答が返ってこない場合のシーケンスを示す図である。
【図１０】実施の形態１による無線装置確認コマンドを再構成して携帯端末へ送信する場合のシーケンスを示す図である。
【発明を実施するための形態】
【００２０】
実施の形態１．
図１において、車両１００は、屋外を移動するものである。無線装置２００は、車両１００に取り付けられ、携帯端末３００とのデータのやりとり、路側機４００（地上無線機）とのデータのやりとりを行う。例えば路側機４００の送信情報を無線装置２００へ送り、無線装置２００は携帯端末３００へ送信情報を送り、携帯端末３００にて関連情報を表示するといった使われ方で、無線装置２００はデータ中継器として適用することが考えられる。携帯端末３００は、無線装置２００とデータのやりとりを行う。携帯端末３００は、スマートフォンのような汎用端末を想定しているが、タブレットＰＣなど無線装置２００と無線通信にて接続できるものであればその適用を妨げるものではない。
【００２１】
実施の形態１での無線装置２００と携帯端末３００との間は、ＩＥＥＥ（The Institute of Electrical and Electronics Engineers,Inc．）８０２．１１シリーズに準拠した無線通信を行っているとして説明するが、他の無線通信規格の適用を妨げるものではない。また、図１では、車両１００内に携帯端末３００があるが、無線装置２００と通信可能な範囲であれば、車両１００外に携帯端末３００があってもよい。
【００２２】
路側機４００は、無線装置２００とデータのやりとりを行う。路側機４００は、車両１００外にある専用のインフラ設備を想定しているが、汎用設備の適用を妨げるものではない。また、実施の形態１での無線装置２００と路側機４００との間は、ＤＳＲＣ（Dedicated Short Range Communications）通信を行っているとして説明するが、他の無線通信規格の適用を妨げるものではない。決済管理装置５００は、決済処理機能を持ち、路側機４００と通信を行う。実施の形態１での路側機４００と決済管理装置５００との間は、インターネットを介したＴＣＰ／ＩＰ通信を行っているとして説明するが、他の無線通信規格の適用を妨げるものではない。
【００２３】
図２において、路側通信処理部２０１は、路側無線Ｉ／Ｆ２０２を介して届いた路側機４００からの受信データを解析・整形し、データ制御部２０５へデータを伝える。また、路側通信処理部２０１は、データ制御部２０５から受け取ったデータを解析・整形し、路側無線Ｉ／Ｆ２０２を介して路側機４００へデータを送信する。なお、各データのコマンドや解析・整形方法については、この発明では記載を省略する。適用する無線通信規格のもとで任意のコマンドの解析・整形方法が可能である。路側無線Ｉ／Ｆ２０２は、路側機４００と通信を行い、路側無線Ｉ／Ｆ間の接続（データリンク）を確立し、データの受け渡しをするものである。
【００２４】
携帯端末側通信処理部２０３は、携帯端末側無線Ｉ／Ｆ２０４を介して届いた携帯端末３００からの受信データを解析・整形し、データ制御部２０５へデータを伝える。また、携帯端末側通信処理部２０３は、データ制御部２０５から受け取ったデータを解析・整形し、携帯端末側無線Ｉ／Ｆ２０４を介して携帯端末３００へデータを送信する。なお、各データのコマンドや解析・整形方法については、この発明では記載を省略する。適用する無線通信規格のもとで任意のコマンド、解析・整形方法が可能である。携帯端末側無線Ｉ／Ｆ２０４は、携帯端末３００と通信を行い、携帯端末側無線Ｉ／Ｆ２０４との間の接続（データリンク）を確立し、データの受け渡しをするものである。
【００２５】
データ制御部２０５は、データ解析部２０５Ａとデータ中継部２０５Ｂとデータ再構成部２０５Ｃと時間管理部２０５Ｄを有する。データ解析部２０５Ａは、路側通信処理部２０１や携帯端末側通信処理部２０３から受け取ったデータのパラメータの抽出及びデータ記憶部２０７へのデータ格納を行う。
【００２６】
データ記憶部２０７は、路側機４００から携帯端末側へデータを中継するためのバッファ２０７Ａと、携帯端末側から路側機４００へデータを中継するためのバッファ２０７Ｂと、データ解析部２０５Ａで抽出されたパラメータを格納する確認秒数情報メモリ２０７Ｃと、時間管理部２０５Ｄで取得した基準時刻・計算した差分時刻（時間情報）の両時刻を格納する時刻情報メモリ２０７Ｄを有する。
【００２７】
データ中継部２０５Ｂは、バッファ２０７Ａのデータを携帯端末側通信処理部２０３へ送る、また、バッファ２０７Ｂのデータを路側通信処理部２０１へ送る、ことでデータの中継を行う。データ再構成部２０５Ｃは、バッファ２０７Ａ，バッファ２０７Ｂのデータの一部パラメータを変更する。時間管理部２０５Ｄは、データ制御に必要な時刻の取得及び計算を行う。本書では、時刻は無線装置２００内のシステム時間として扱うが、他の時間情報であっても構わない。
【００２８】
接続状態監視部２０６は、携帯端末側無線Ｉ／Ｆ２０４の接続イベントを取得し、接続状態を判断する。本書では、携帯端末側無線Ｉ／Ｆ２０４の接続状態に変更があったときに、接続状態監視部２０６へイベント通知されるものとするが、他の方法であっても構わない。
【００２９】
なお、実施の形態１の説明において、「〜部」として説明するものは、「〜回路」、「〜機器」であってもよく、また、「〜ステップ」、「〜手順」、「〜処理」であってもよい。すなわち、「〜部」として説明するものは、ファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実現されても構わない。
【００３０】
図３は、実施の形態１による、図２に記載の携帯端末側無線Ｉ／Ｆ２０４と接続状態監視部２０６が保持する接続情報を示す図である。携帯端末側無線Ｉ／Ｆ２０４と接続状態監視部２０６とでは、保持する接続情報の意味合いが異なる。携帯端末側無線Ｉ／Ｆ２０４では、瞬間瞬間の接続状態（接続 ｏｒ 切断）を持ち、接続状態が変わるとその都度、接続状態監視部２０６へ接続状態を通知する。接続状態監視部２０６では、携帯端末側無線Ｉ／Ｆ２０４から通知された接続情報を基に３つの接続状態（接続中、切断中、接続確認中）を持つ。接続状態監視部２０６は、携帯端末側無線Ｉ／Ｆ２０４から「切断」の通知が来ても、すぐに「切断中」とは判断せず、「接続確認中」とし、一定時間内に「接続」の通知が来れば、ノイズ等による一時的な切断とみなし、「接続中」とする。一定時間経過しても「接続」の通知が来ない時、初めて「切断中」とする。
【００３１】
図４は、実施の形態１による確認秒数情報関連のコマンドを示す図である。無線装置確認要求コマンド（要求情報）は、路側機４００が提供するサービスの使用有無をユーザに選択させるために路側機４００から車両１００へ通知されるコマンドである。確認秒数情報（時間情報）パラメータで指定された時間内で使用有無の選択が可能となる。例えば指定時間が２０秒の場合、ユーザは使用有無の選択を２０秒以内に決定しなければならない。無線装置確認応答コマンド（応答情報）は、無線装置確認要求に対する応答コマンドである。ユーザのサービス使用選択結果が路側機４００へ送信される。選択結果は、サービスを使用することを示す「使用する」、サービスを使用しないことを示す「使用しない」、意思選択が無い／できないことを示す「入力なし」の３種類から成る。
【００３２】
図５は、実施の形態１で用いるデータ再構成部２０５Ｃでのデータ再構成の例を示す図である。再構成前の確認秒数パラメータの値が「３０秒」で、この値を１０秒減算したい場合、確認秒数パラメータの値を「２０秒」に変更するとともに、チェックサムの値も計算し直す。
【００３３】
次に、動作について説明する。
実施の形態１による無線通信制御処理は、路側無線Ｉ／Ｆ２０２から携帯端末側無線Ｉ／Ｆ２０４へ流れるデータである無線装置確認要求コマンドに対する処理について説明する。路側無線Ｉ／Ｆ２０２から届いたデータは、路側通信処理部２０１で受信され、一旦、データ記憶部２０７のバッファ２０７Ａに格納される。無線装置２００と携帯端末３００との通信が接続されていれば、データ中継部２０５Ｂがデータを携帯端末側通信処理部２０３へ向けて送信する。無線装置２００と携帯端末３００との通信が切断されていれば、データ再構成部２０５Ｃによるバッファ２０７Ａのデータ再構成が行われる。
【００３４】
図６は、無線装置２００の処理（操作）の流れの例を示すフローチャートである。
路側通信処理部２０１は、路側無線Ｉ／Ｆ２０２から無線装置確認要求コマンドを受信すると、データのフォーマットチェックを行い、データ制御部２０５のデータ解析部２０５Ａへデータを送る（Ｓ１００）。フォーマットチェックの詳細については記載を省略する。データ解析部２０５Ａは、受信した無線装置確認要求コマンドをバッファ２０７Ａへ格納するとともに、確認秒数パラメータの値を読み出し、確認秒数情報メモリ２０７Ｃへ格納する（Ｓ１０１）。その後、時間管理部２０５Ｄは、現在の時刻（これをｔ１とする）を取得し、ｔ１を基準時刻として時刻情報メモリ２０７Ｄへ格納する（Ｓ１０２）。その後、データ制御部２０５は、接続状態監視部２０６から接続状態を取得する（Ｓ１０３）。
【００３５】
Ｓ１０３で取得した接続状態が「切断中」であれば（Ｓ１０４ＮＯ）、ユーザから意思を確認することができないため、時間管理部２０５Ｄは、バッファ２０７Ａの無線装置確認要求コマンドと時刻情報メモリ２０７Ｄの値を削除し（Ｓ１０５）、データ中継部２０５Ｂは、確認結果パラメータが「入力なし」の無線装置確認応答コマンドを路側通信処理部２０１へ送り（Ｓ１０６）、処理を終了する。Ｓ１０３で取得した接続状態が「切断中」でなければ（Ｓ１０４ＹＥＳ）、時間管理部２０５Ｄは、現在の時刻（これをｔ２とする）を取得し、「ｔ２−ｔ１」の結果を差分時刻（時間情報）として時刻情報メモリ２０７Ｄへ格納する（Ｓ１０７）。Ｓ１０７で計算した差分時刻が、確認秒数情報メモリ２０７Ｃの格納値以上であれば（Ｓ１０８ＹＥＳ）、ユーザへ意思を確認する時間を過ぎたため、時間管理部２０５Ｄは、バッファ２０７Ａの無線装置確認要求コマンドと時刻情報メモリ２０７Ｄの値を削除し（Ｓ１０５）、データ中継部２０５Ｂは、確認結果パラメータが「入力なし」の無線装置確認応答コマンドを路側通信処理部２０１へ送り（Ｓ１０６）、処理を終了する。
【００３６】
Ｓ１０７で計算した差分時刻が、確認秒数情報メモリ２０７Ｃの格納値未満であれば（Ｓ１０８ＮＯ）、接続状態監視部２０６から接続状態を再確認し、その結果が「接続中」以外の場合（Ｓ１０９接続中以外）、無線装置２００と携帯端末３００との通信が切断されている可能性があるため、Ｓ１０４から再度処理を行う。Ｓ１０９接続中の場合（Ｓ１０９接続中）、データ再構成部２０５Ｃは、時刻情報メモリ２０７Ｄに記憶された差分時刻を基に、無線装置確認要求コマンドの確認秒数パラメータを変更し、図５に記載したように無線装置確認要求コマンドを再構成する（Ｓ１１０）。なお、パラメータ変更方法はコマンドの仕様を満たす範囲で任意の変更が可能である。実施の形態１では、差分時刻の有効値は秒単位の整数部分とする変更を行う（例えば、差分時刻が０．５秒の場合、有効値は０秒のため、パラメータ変更されない）。その後、データ中継部２０５Ｂは、Ｓ１１０で再構成した無線装置確認要求コマンドを携帯端末側通信処理部２０３へ送る（Ｓ１１１）。
【００３７】
その後、データ中継部２０５Ｂは、携帯端末側通信処理部２０３から無線装置確認要求コマンド送信成功を示す応答データ（ＡＣＫ）を受信すれば（Ｓ１１２ＹＥＳ）、処理を終了する。応答データ（ＡＣＫ）を受信できない場合（Ｓ１１２ＮＯ）、データ再送処理を実施するためにＳ１０４から再度処理を行う。
【００３８】
図７から図１０は、この発明の実施の形態１による路側機４００、無線装置２００、携帯端末３００の間で行われる、通信の流れの例を示すシーケンスである。図７は、何のエラーもない場合の１例のシーケンスを示す図である。路側機４００から無線装置２００へ無線装置確認要求コマンド（確認秒数パラメータの値は３０秒とする）が送られる（Ｓ２００）と、無線装置２００から携帯端末３００へデータが中継される（Ｓ２０１）。なお、差分時刻の有効値は０秒のため、Ｓ２０１にてデータ変更はなかったとしている。携帯端末３００から無線装置２００へ応答データが送られ（Ｓ２０２）、確認秒数以内に応答データも送られてきた（Ｓ２０３）ため、無線装置２００は路側機４００へデータを中継する（Ｓ２０４）。
【００３９】
図８は、無線装置２００と携帯端末３００との通信が切断している場合の１例のシーケンスを示す図である。路側機４００から無線装置２００へ無線装置確認要求コマンド（確認秒数パラメータの値は３０秒とする）が送られる（Ｓ３００）が、無線装置２００と携帯端末３００の通信は切断しているため、無線装置２００は路側機４００へ確認結果が入力なしの無線装置確認応答コマンドを送る（Ｓ３０１）。
【００４０】
図９は、携帯端末３００から確認秒数の時間を過ぎても応答が返ってこない場合の１例のシーケンスを示す図である。路側機４００から無線装置２００へ無線装置確認要求コマンド（確認秒数パラメータの値は３０秒とする）が送られる（Ｓ４００）と、無線装置２００から携帯端末３００へデータが中継される（Ｓ４０１）。なお、差分時刻の有効値は０秒のため、Ｓ４０１にてデータ変更はなかったとしている。携帯端末３００から無線装置２００へ応答データが送られる（Ｓ４０２）が、確認秒数の時間を経過しても無線装置確認応答コマンドが携帯端末３００から無線装置２００へ送られてこなかったため、無線装置２００は路側機４００へ確認結果が入力なしの無線装置確認応答コマンドを送る（Ｓ４０３）。
【００４１】
図１０は、無線装置確認コマンドを再構成して携帯端末３００へ送信する場合の１例のシーケンスを示す図である。路側機４００から無線装置２００へ無線装置確認要求コマンド（確認秒数パラメータの値は３０秒とする）が送られる（Ｓ５００）と、無線装置２００から携帯端末３００へデータが中継される（Ｓ５０１）。携帯端末３００から無線装置２００へ応答データが送られてこなかったため、無線装置２００は携帯端末３００へ再度、無線装置確認要求コマンドを送る（Ｓ５０２）。なお、差分時刻の有効値は１０秒のため、Ｓ５０１にてデータ変更（３０秒から２０秒へ変更）を行っている。携帯端末３００から無線装置２００へ応答データが送られ（Ｓ５０３）、確認秒数以内に応答データも送られてきた（Ｓ５０４）ため、無線装置２００は路側機４００へデータを中継する（Ｓ５０５）。
【００４２】
以上実施の形態１によれば、データ再構成部２０５Ｃで無線装置確認要求コマンドの再構成（データの変更）を行うことで、接続状態を考慮した適切なデータを携帯端末３００に送ることができる。そのため、ユーザに対して正確な情報を伝えることが可能となる。また、無線装置２００と携帯端末３００との通信切断時には、ユーザの意思が無くても無線装置２００が路側機４００に無線装置確認応答コマンドを送ることで、サービスの正しい運用を行うことが可能となる。また、ユーザが意思結果を示した時に路側機側での応答確認待ち時間が終わっているケースがなくなることで、ユーザへの不快感の低減が可能となる。
【００４３】
なお、実施の形態１では、Ｓ１１２にてＡＣＫ受信有無のみで判断したが、受信無し回数もあわせて判断してもよい。例えば４回連続でＡＣＫ受信失敗した場合はＳ１０４へ遷移するといったことが考えられる。
【００４４】
また、実施の形態１では、最初に路側機４００から確認秒数３０秒の無線装置確認要求コマンドが無線装置２００に送信され、最後に無線装置確認応答コマンドが無線装置２００から路側機４００に送信されて一連のシーケンスが終了するが、これに限らず無線装置２００と携帯端末３００の間で接続確立を待つ間に、路側機４００から新たに確認秒数を延長した（例えば６０秒）確認要求コマンドが無線装置２００に送信される場合も有り得る。この場合は、無線装置２００は、新たな確認秒数（例えば６０秒）に応じて、図５に示すデータ再構成部でのデータ再構成に準じて新たにデータを再構成し、携帯端末３００に無線装置確認要求コマンド（例えば４０秒）を送信することができる。これにより無線装置２００は確認秒数の延長に対応することが出来、ユーザへの不快感の一層の低減が可能となる。
【００４５】
なお、この発明は、その発明の範囲内において、実施の形態を適宜、変形、省略することが可能である。
【産業上の利用可能性】
【００４６】
この発明は、車両に限らず船舶や航空機など他の移動体にも適用できる。
【符号の説明】
【００４７】
１００  車両、２００  無線装置、２０１  路側通信処理部、
２０１Ａ  受信部、２０１Ｂ  送信部、２０２  路側無線Ｉ/Ｆ 、
２０３  携帯端末側通信処理部、２０３Ａ  受信部、２０３Ｂ  送信部、    
２０４  携帯端末側無線Ｉ/Ｆ、２０５  データ制御部、２０５Ａ  データ解析部、
２０５Ｂ  データ中継部、２０５Ｃ  データ再構成部、２０５Ｄ  時間管理部  、
２０６  接続状態監視部、２０７  データ記憶部、２０７Ａ  バッファ、
２０７Ｂ  バッファ、２０７Ｃ  確認秒数情報メモリ、２０７Ｄ  時刻情報メモリ、
３００  携帯端末、４００  路側機 、５００  決済管理装置。 
【要約】      （修正有）【課題】ユーザが地上無線機が指定した受付時間内に意思確認のための選択を行うことができる無線装置、無線装置の操作方法及び無線装置操作プログラムを提供する。【解決手段】車両１００に載置され、車両外部の路側機４００から受信した要求情報を携帯端末３００に送信し、携帯端末３００から受信した応答情報を路側機４００に送信する無線装置２００において、要求情報には時間情報が含まれており、無線装置２００は、地上無線機から受信した要求情報を保持し、携帯端末３００との接続が確立されていない間は、要求情報を受け取ってから携帯端末３００との接続が確立されるまでの時間を計測し、携帯端末３００との接続が確立された時は、計測した時間情報に基づいて路側機４００から受け取った要求情報に含まれる時間情報を修正し、修正した要求情報を携帯端末３００へ送信する。【選択図】図１【図１】
0005859092.tif 000002
【図２】
0005859092.tif 000003
【図３】
0005859092.tif 000004
【図４】
0005859092.tif 000005
【図５】
0005859092.tif 000006
【図６】
0005859092.tif 000007
【図７】
0005859092.tif 000008
【図８】
0005859092.tif 000009
【図９】
0005859092.tif 000010
【図１０】
0005859092.tif 000011